(57)【要約】【課題】データ通信の送信相手先とのコミュニケーション効率をより一層向上させる。【解決手段】ファクシミリ通信（データ通信）の送信相手先の指定をユーザーから受け付ける送信相手先受付部１０２と、送信相手先受付部１０２が受け付けた送信相手先へのファクシミリ送信の即実行、指定時刻でのファクシミリ送信の実行、及びファクシミリ送信の実行取消のうちのいずれかの選択をユーザーから受け付ける選択受付部１０３と、選択受付部１０３が受け付けた選択に従って、ファクシミリ通信部７１によるファクシミリ通信を制御するファクシミリ通信制御部１０６と、を備え、送信相手先受付部１０３がファクシミリ通信の送信相手先を受け付けた時に、表示制御部１０４が、当該送信相手先の詳細情報（時差情報、スケジュール情報、位置情報）を表示部４７３に表示させると共に、選択受付部１０３が、上記選択を受け付ける。【選択図】図１
2018117321.tif 000002
【特許請求の範囲】
【請求項１】
表示部と、
前記表示部の表示制御を行う表示制御部と、
データ通信を行うデータ通信部と、
データ通信の送信相手先の指定をユーザーから受け付ける送信相手先受付部と、
前記送信相手先の詳細情報を記憶する詳細情報記憶部と、
前記送信相手先受付部が受け付けた送信相手先へのデータ送信の即実行、指定時刻でのデータ送信の実行、及びデータ送信の実行取消のうちのいずれかの選択をユーザーから受け付ける選択受付部と、
前記選択受付部が受け付けた選択に従って、前記データ通信部によるデータ通信を制御するデータ通信制御部と、を備え、
前記送信相手先受付部がデータ通信の送信相手先を受け付けた時に、
前記表示制御部が、前記詳細情報記憶部に記憶されている当該送信相手先の前記詳細情報を前記表示部に表示させると共に、前記選択受付部が前記選択を受け付け、
前記詳細情報記憶部に記憶されている前記詳細情報には、前記送信相手先と送信元との時差に関する情報、前記送信相手先のスケジュール情報、及び前記送信相手先の位置情報のうちの少なくとも１つの情報が含まれている通信装置。
【請求項２】
インターネットを介してネットワーク通信を行うネットワーク通信部と、
前記ネットワーク通信部を介して、外部装置から前記送信相手先の前記詳細情報を取得するネットワーク通信制御部と、を備える請求項１に記載の通信装置。
【請求項３】
前記外部装置として、前記送信相手先とは異なる情報処理装置が前記詳細情報を記憶しており、
前記送信相手先受付部が前記データ通信の送信相手先を受け付けた時に、
前記ネットワーク通信制御部が前記情報処理装置から前記詳細情報を取得する請求項２に記載の通信装置。
【請求項４】
前記送信相手先受付部が前記データ通信の送信相手先を受け付けた時に、
前記ネットワーク通信制御部が、前記送信相手先となる通信装置を前記外部装置として前記詳細情報を取得する請求項２に記載の通信装置。
【請求項５】
前記ネットワーク通信制御部が、前記送信相手先となる通信装置に対して拡張認証することによって、前記詳細情報として、当該通信装置に対して最後にログインされたログイン時刻情報を取得する請求項４に記載の通信装置。
【請求項６】
前記送信相手先となる通信装置に割り当てられているＩＰアドレスから、前記送信相手先の位置情報を検出する位置情報検出部と、
前記位置情報検出部により検出された位置情報、及び事前に登録された送信元の位置情報に基づいて、前記送信相手先と送信元との時差を算出する時差算出部と、を備える請求項１乃至請求項５のいずれかに記載の通信装置。
【発明の詳細な説明】
【技術分野】
【０００１】
本発明は、通信装置に関し、特に、送信相手先の情報をユーザーに提示する技術に関する。
【背景技術】
【０００２】
ビジネスのグローバル化が進み、効率主義の社会に変わってきている。しかしながら、効率主義の社会に変わった一方、人と人とのコミュニケーションの質が低下し、取引先とのコミュニケーションに割く時間も短くなってきている。
【先行技術文献】
【特許文献】
【０００３】
【特許文献１】特開平０８−２８９１１９号公報
【発明の概要】
【発明が解決しようとする課題】
【０００４】
取引先と上手にコミュニケーションを図り、コミュニケーション効率を向上させるには、取引先の現在の状況を知ることがとても大事である。
【０００５】
ところで、通信装置としての電子機器（例えば、データ通信機能を有した複合機）は、世界中の人々を繋ぐ役割を果たせている。そのため、このような電子機器をより効果的に利用すれば、取引先と上手にコミュニケーションを図ることができるのではないかと考えられる。
【０００６】
しかしながら、海外の取引先にデータ送信を行う場合には、送信時刻に注意を払う必要がある。例えば、送信元は昼間であっても、送信相手先が深夜の場合があるからである。
【０００７】
上記の特許文献１には、送信相手先と送信元との経度差から時差を求め、送信相手先の現地時刻に配慮したファクシミリ送信を実現することが記載されている。送信相手先である取引先の現地時刻に配慮することだけでは、コミュニケーション効率を向上させることは可能であるが、これよりも更にコミュニケーション効率を向上させることが望まれる。
【０００８】
本発明は、上記の事情に鑑みなされたものであり、データ通信の送信相手先とのコミュニケーション効率をより一層向上させることを目的とする。
【課題を解決するための手段】
【０００９】
本発明の一局面に係る通信装置は、表示部と、前記表示部の表示制御を行う表示制御部と、データ通信を行うデータ通信部と、データ通信の送信相手先の指定をユーザーから受け付ける送信相手先受付部と、前記送信相手先の詳細情報を記憶する詳細情報記憶部と、前記送信相手先受付部が受け付けた送信相手先へのデータ送信の即実行、指定時刻でのデータ送信の実行、及びデータ送信の実行取消のうちのいずれかの選択をユーザーから受け付ける選択受付部と、前記選択受付部が受け付けた選択に従って、前記データ通信部によるデータ通信を制御するデータ通信制御部と、を備え、前記送信相手先受付部がデータ通信の送信相手先を受け付けた時に、前記表示制御部が、前記詳細情報記憶部に記憶されている当該送信相手先の前記詳細情報を前記表示部に表示させると共に、前記選択受付部が前記選択を受け付け、前記詳細情報記憶部に記憶されている前記詳細情報には、前記送信相手先と送信元との時差に関する情報、前記送信相手先のスケジュール情報、及び前記送信相手先の位置情報のうちの少なくとも１つの情報が含まれている。
【発明の効果】
【００１０】
本発明によれば、データ通信の送信相手先をユーザーが指定すると、当該送信相手先の詳細情報（時差に関する情報、スケジュール情報、位置情報）が表示部に表示され、ユーザーは、その表示内容を確認しながら、データ送信の即実行、指定時刻でのデータ送信の実行、及びデータ送信の実行取消のうちのいずれかを選択することができる。すなわち、ユーザーは送信相手先の状況（例えば、現地時刻や、出張中で不在であること、所在地）を認識した上で、上記選択を行うことができる。従って、本発明によれば、送信相手先の細かな事情に配慮した適切なデータ送信を実現することができるので、送信相手先とのコミュニケーション効率をより一層向上させることができる。
【図面の簡単な説明】
【００１１】
【図１】本発明の第１実施形態に係る通信装置としての画像形成装置の主要内部構成を概略的に示した機能ブロック図である。
【図２】第１実施形態に係る通信装置としての画像形成装置における制御ユニットで行われる処理動作の一例を示したフローチャートである。
【図３】第１実施形態に係る通信装置としての画像形成装置における制御ユニットで行われる処理動作の一例を示したフローチャートである。
【図４】表示部に表示される操作画面の一例を示した図である。
【図５】（Ａ）、（Ｂ）は表示部に表示される操作画面の一例を示した図である。
【図６】（Ａ）、（Ｂ）は表示部に表示される操作画面の一例を示した図である。
【発明を実施するための形態】
【００１２】
以下、本発明の一実施形態に係る通信装置について図面を参照して説明する。図１は、本発明の第１実施形態に係る通信装置としての画像形成装置の主要内部構成を概略的に示した機能ブロック図である。
【００１３】
画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、給紙部１４、操作部４７、ファクシミリ通信部７１、及びネットワークインターフェイス部９１を含んで構成されている。
【００１４】
原稿給送部６は、読取対象の原稿を原稿読取部５へ給送する。原稿読取部５は、光照射部を使って、原稿給送部６から給送されてくる原稿又は原稿台に載置されている原稿を照射し、その反射光を受光することによって、原稿から画像を読み取る。原稿読取部５による読み取りで得られた画像データは画像メモリー３２等に記憶される。
【００１５】
画像形成部１２は、印刷すべき画像のトナー像を用紙（記録媒体）上に形成する。画像メモリー３２は、原稿読取部５による読み取りで得られた原稿の画像データを一時的に記憶したり、外部装置２０（例えば、ＰＣ：パーソナルコンピューター）から伝送されてきた画像データを一時的に記憶したり、画像形成部１２のプリント対象となる画像データやファクシミリ通信部７１の送信対象となる画像データ等を保存するための領域である。
【００１６】
ＨＤＤ９２は、原稿読取部５によって読み取られた画像データ等を記憶する大容量の記憶装置であり、ＨＤＤ９２の一部領域は、相手先情報記憶部９２１と、地名情報記憶部９２２となる。相手先情報記憶部９２１に記憶される相手先情報は、例えば、名称、ファクス番号、相手先となる通信装置（例えば、複合機）に割り当てられたＩＰアドレス、相手先のパブリックな情報を保管する外部装置２０としての情報処理装置（例えば、サーバー）に割り当てられたＩＰアドレスである。地名情報記憶部９２２に記憶される地名情報は、例えば、位置情報により特定される国名や都市名などの地名である。
【００１７】
定着部１３は、用紙上のトナー像を、熱定着により用紙に定着させる。給紙部１４は、給紙カセット（図示せず）を備え、給紙カセットに収容された用紙をピックアップして搬送する。
【００１８】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００１９】
ファクシミリ通信部７１は、ファクシミリ通信を行い、ネットワークインターフェイス部９１は、ローカルエリア内、又はインターネット上の電子機器やサーバー等の外部装置２０と種々のデータの送受信を行うものである。なお、ファクシミリ通信部７１及びネットワークインターフェイス部９１はそれぞれ、特許請求の範囲におけるデータ通信部及びネットワーク通信部の一例である。
【００２０】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、ＭＰＵ（Micro Processing Unit）等である。制御ユニット１０は、制御部１００と、操作受付部１０１と、表示制御部１０４と、ファクシミリ通信制御部１０５と、ネットワーク通信制御部１０６と、時差算出部１０７と、地名検出部１０８と、詳細情報記憶部１０９とを備えている。
【００２１】
制御ユニット１０は、ＨＤＤ９２に記憶されている制御プログラムに従った上記プロセッサーによる動作により、制御部１００、操作受付部１０１、表示制御部１０４、ファクシミリ通信制御部１０５、ネットワーク通信制御部１０６、時差算出部１０７、地名検出部１０８、及び詳細情報記憶部１０９として機能するものである。但し、制御部１００等は、制御ユニット１０による制御プログラムに従った動作によらず、ハードウェア回路により構成することも可能である。以下、特に触れない限り、各実施形態について同様である。
【００２２】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、操作部４７、ファクシミリ通信部７１、及びネットワークインターフェイス部９１と接続され、これら各部の駆動制御等を行う。
【００２３】
操作受付部１０１は、操作部４７を介したユーザーからの操作入力を受け付ける。また、操作受付部１０１は、送信相手先受付部１０２と選択受付部１０３とを備える。送信相手先受付部１０２は、相手先情報記憶部９２１を検索して名称リストを表示部４７３に表示し、ファクシミリ通信の送信相手先のユーザー指定を受け付ける。選択受付部１０３は、送信相手先受付部１０２が受け付けた送信相手先へのファクシミリ送信の即実行、指定時刻でのファクシミリ送信の実行、及びファクシミリ送信の実行取消のうちのいずれかの選択をユーザーから受け付ける。
【００２４】
表示制御部１０４は、表示部４７３の表示制御を行う。ファクシミリ通信制御部１０５は、選択受付部１０３が受け付けた選択に従って、ファクシミリ通信部７１によるファクシミリ通信を制御する。
【００２５】
ネットワーク通信制御部１０６は、ネットワークインターフェイス部９１を介して、外部装置２０としてのサーバーから送信相手先の詳細情報を取得する。なお、ファクシミリ通信制御部１０５及びネットワーク通信制御部１０６は、特許請求の範囲におけるデータ通信制御部の一例である。
【００２６】
時差算出部１０７は、送信相手先と送信元との時差を算出する。地名検出部１０８は、送信相手先の地名（例えば、国名や都市名）を検出する。詳細情報記憶部１０９は、送信相手先の詳細情報（例えば、送信相手先のスケジュール情報、送信相手先の位置情報）を記憶する。
【００２７】
次に、第１実施形態に係る通信装置としての画像形成装置１の制御ユニット１０で行われる処理動作の一例について、図２及び図３に示したフローチャートに基づいて説明する。なお、この処理動作は、送信相手先受付部１０２がファクシミリ通信の送信相手先のユーザー指定を受け付けた時に行われる。
【００２８】
送信相手先受付部１０２がファクシミリ通信の送信相手先の指定をユーザーから受け付けると、表示制御部１０４が、表示部４７３に図４に示すような操作画面Ｄ１を表示部４７３に表示させることによって、送信相手先（ファクシミリ装置）を示す情報を表示させ、送信相手先を当該送信相手先に指定するか否かの選択を促すメッセージをユーザーに提示し（Ｓ１）、この提示に対するユーザーからの選択指示の入力を待機する（Ｓ２）。
【００２９】
例えば、表示制御部１０４は、表示部４７３に、操作画面Ｄ１として「送信相手先は正しいですか？  Is the destination correct？」という内容を表示させると共に、選択ボタンＢ１，Ｂ２を表示させる。選択ボタンＢ１には「はい  Yes」と記され、選択ボタンＢ２には「いいえ  No」と記されている。
【００３０】
操作受付部１０１が、操作部４７を介してユーザーから選択ボタンＢ１の選択を受け付けることで、送信相手先を当該表示中の送信相手先に指定する指示を受け付けると（Ｓ２でＹＥＳ）、ネットワーク通信制御部１０６が、送信相手先受付部１０２が受け付けた送信相手先のパブリックな情報を保管する予め定められたサーバーに割り当てられた例えばＩＰアドレス等の情報取得先特定情報を相手先情報記憶部９２１から読み出す（Ｓ３）。すなわち、相手先情報記憶部９２１には、送信相手先受付部１０２が受け付けた送信相手先のパブリックな情報を保管する予め定められたサーバーに割り当てられたＩＰアドレスが記憶されている。
【００３１】
ネットワーク通信制御部１０６は、読み出したＩＰアドレス（情報取得先特定情報）に基づいて、ネットワークインターフェイス部９１を介して、上記サーバーにアクセスし、当該送信相手先のパブリックな情報（例えば、位置情報、スケジュール情報）を取得し、取得した情報を詳細情報記憶部１０９に記憶させる（Ｓ４）。一方、操作受付部１０１が、選択ボタンＢ２の選択を受け付けることで、送信相手先を当該表示中の送信相手先に指定しない指示を受け付けると（Ｓ２でＮＯ）、この処理動作を終了する。
【００３２】
なお、制御部１００は、上記パブリックな情報がスケジュール情報である場合には、当該スケジュール情報に対して単語分割処理等を行うことによって、当該スケジュール情報から日付や時刻を時間情報として抽出するなどの処理を行い、ＰＣ等の表示装置での表示が可能なデータ情報として利用できるようにする。
【００３３】
また、上記サーバーは、送信相手先の詳細情報を保管する情報処理装置の一例である。例えば、当該サーバーは、ＰＣやスマートフォン、タブレットなどの情報端末装置から送信された、送信相手先の位置情報やスケジュール情報などを受信して保存する。
【００３４】
続いて、時差算出部１０７が、詳細情報記憶部１０９に記憶されている、位置情報が示す経度情報、及び事前に登録されている送信元の経度情報、更にはタイムゾーン情報に基づいて、送信相手先と送信元との時差を算出し（Ｓ５）、地名検出部１０８が、地名情報記憶部９２２に記憶されている、位置情報別に対応付けられた地名情報に基づいて、当該位置情報から地名（例えば、国名や都市名）を検出する（Ｓ６）。
【００３５】
表示制御部１０４は、時差算出部１０７が算出した時差及び送信元の現在時刻から送信相手先の現地時刻を算出し（Ｓ７）、送信相手先の現地時刻Ｍ１、送信相手先と送信元との時差Ｍ２、詳細情報記憶部１０９に記憶されているスケジュール情報が示すスケジュールＭ３、及び地名検出部１０８が検出した地名Ｍ４を示した、図５（Ａ）に示すような操作画面Ｄ２を表示部４７３に表示させる（Ｓ８）。
【００３６】
その後、表示制御部１０４が、操作画面Ｄ２の空きスペースに重ねるように、図５（Ｂ）に示すような操作画面Ｄ３を表示部４７３に表示させることによって、３つの選択肢をユーザーに提示してユーザーの選択を受け付ける（Ｓ９，Ｓ１０）。
【００３７】
操作画面Ｄ３には、「送信を実行しますか、取り消しますか、それとも送信時刻を指定しますか？  Are you sure you want to send to recipient now？  Select Yes, No or Delay Send.」という内容が記載されると共に、選択ボタンＢ３〜Ｂ５が形成されている。選択ボタンＢ３には「即実行  Yes」と記され、選択ボタンＢ４には「取消  No」と記され、選択ボタンＢ５には「送信時刻指定  Delay Send」と記されている。
【００３８】
選択受付部１０３が、選択ボタンＢ３の選択を受け付けると（Ｓ１０で「即実行」）、制御部１００が、原稿読取部５に原稿の読み取りを行わせ、原稿読取部５による読み取りで得られた画像データを画像メモリー３２に記憶させ（Ｓ１１）、その後、ファクシミリ通信制御部１０５が、画像メモリー３２に記憶されているファクシミリ送信すべき画像データを、ファクシミリ通信部７１を介して、送信相手先受付部１０２が受け付けた送信相手先へ送信し（Ｓ１２）、この処理動作を終了する。
【００３９】
一方、選択受付部１０３が、選択ボタンＢ４の選択を受け付けると（Ｓ１０で「取消」）、ファクシミリ送信を行う必要がないので、この処理動作を終了する。
【００４０】
また、選択受付部１０３が、選択ボタンＢ５の選択を受け付けると（Ｓ１０で「送信時刻指定」）、表示制御部１０４が、図６（Ａ）に示すような操作画面Ｄ４を表示部４７３に表示させることによって、操作受付部１０１がユーザーによる送信時刻の指定を受け付ける（Ｓ２１，Ｓ２２）。
【００４１】
操作画面Ｄ４には、「送信時刻を指定してください。  When would you like to send？  Enter Time.」という内容が記載されると共に、時刻を進めるためのアップボタンＢ６、時刻を戻すためのダウンボタンＢ７、そして送信時刻を決定するための「決定  Enter」と記された決定ボタンＢ８が表示される。
【００４２】
操作受付部１０１は、決定ボタンＢ８の選択を受け付けることによって、ユーザーによる送信時刻の指定が完了すると（Ｓ２２でＹＥＳ）、ユーザーにより指定された送信時刻を記憶する（Ｓ２３）。表示制御部１０４は、表示部４７３に図６（Ｂ）に示すような操作画面Ｄ５を表示部４７３に表示させることによって（Ｓ２４）、送信時刻の指定が完了したことをユーザーに知らせる。操作画面Ｄ５には、「指定された送信時刻を登録しました。  Your Send has been scheduled.」という内容が表示されている。
【００４３】
続いて、制御部１００が、原稿読取部５に原稿の読み取りを行わせ、原稿読取部５による読み取りで得られた画像データを画像メモリー３２に記憶させる（Ｓ２５）。そして、ファクシミリ通信制御部１０５が、操作受付部１０１が記憶した指定の送信時刻になったか否かを判断し（Ｓ２６）、指定の送信時刻になったと判断すると（Ｓ２６でＹＥＳ）、画像メモリー３２に記憶されているファクシミリ送信すべき画像データを、ファクシミリ通信部７１を介して、送信相手先受付部１０２が受け付けた送信相手先へ送信する（Ｓ２７）。この後、この処理動作は終了する。
【００４４】
上記第１実施形態では、データ通信（ファクシミリ通信）の送信相手先をユーザーが指定すると、当該送信相手先の詳細情報（時差に関する情報、スケジュール情報、位置情報）が表示部４７３に表示され、その表示内容を確認しながら、データ送信（ファクシミリ送信）の即実行、指定時刻でのデータ送信の実行、及びデータ送信の実行取消のうちのいずれかをユーザーが選択する。このため、ユーザーは送信相手先の状況（例えば、現地時刻や、出張中で不在であること、所在地）を認識した上で、上記選択を行うことができる。
【００４５】
従って、送信相手先の細かな事情に配慮した適切なデータ送信を実現することができるので、送信相手先とのコミュニケーション効率をより一層向上させることができる。
【００４６】
なお、上記第１実施形態では、表示制御部１０４が、時差に関する情報として、図５（Ａ）に示したように、送信相手先の現地時刻Ｍ１及び送信相手先と送信元との時差Ｍ２を表示部４７３に表示させているが、いずれか一方のみを表示させるようにしてもよい。
【００４７】
上記第１実施形態では、送信相手先受付部１０２が、ファクシミリ通信の送信相手先を受け付けた場合に、ネットワーク通信制御部１０６が、当該送信相手先の詳細情報を取得する場合について説明しているが、詳細情報の取得タイミングは、これに限定されず、ネットワーク通信制御部１０６が、月初めなどに事前に取得し、送信相手先毎に対応付けて、取得した詳細情報を詳細情報記憶部１０９に記憶させるようにしてもよい。
【００４８】
また、上記第１実施形態では、ネットワーク通信制御部１０６が、外部装置２０としてのサーバーから、送信相手先の位置情報を取得し、取得した位置情報から送信相手先と送信元との時差を算出する場合について説明しているが、外部装置２０としてのサーバーから送信相手先の現地時刻情報を取得できる場合には、ネットワーク通信制御部１０６が、当該現地時刻情報を取得し、時差算出部１０７が、取得した現地時刻情報が示す現地時刻と送信元の現在時刻とから時差を算出するようにしてもよい。
【００４９】
また、送信相手先の通信装置（例えば、複合機などの電子機器）に、当該送信相手先の詳細情報が保存される場合には、ネットワーク通信制御部１０６が、相手先情報記憶部９２１から当該送信相手先となる通信装置に割り当てられているＩＰアドレスを読み出し、読み出したＩＰアドレスに基づいて、ネットワークインターフェイス部９１を介して、送信相手先の通信装置へアクセスし、当該通信装置から詳細情報を取得するようにしてもよい。更には、ネットワーク通信制御部１０６が、送信相手先となる通信装置に割り当てられているＩＰアドレスに基づいて、ネットワークインターフェイス部９１を介して、送信相手先の通信装置へアクセスし、事前に登録されている認証情報を用いて、当該通信装置に対して拡張認証することによって、当該通信装置に保存されているログイン情報（例えば、最後にログインされたログイン時刻情報）を取得し、表示制御部１０４が、最後にログインされた時刻をユーザーに提示するようにしてもよい。これにより、送信相手先で通信装置が使用された時刻をユーザーが知ることができるので、例えば、数分前に使用されたことが分かれば、送信相手先が深夜であったとしても、データ送信の即実行を比較的容易に決断することができる。
【００５０】
また、ＩＰアドレスからおおよその地域が分かるので、更なる別の実施形態では、相手先情報記憶部９２１から送信相手先となる通信装置に割り当てられているＩＰアドレスを読み出し、読み出したＩＰアドレスから、当該送信相手先の位置情報を検出する位置情報検出部を、制御ユニット１０に備え、当該位置情報検出部によって検出された位置情報に基づいて、時差算出部１０７が、送信相手先と送信元との時差を算出したり、地名検出部１０８が、送信相手先の地名を検出したりするようにしてもよい。
【００５１】
また、上記第１実施形態では、データ通信としてファクシミリ通信部７１を介して行うファクシミリ通信の場合について説明しているが、本発明におけるデータ通信はこれに限定されず、例えば、ネットワークインターフェイス部９１を介して行うＩＰアドレスファクシミリ通信やインターネットファクシミリ通信でもよい。
【００５２】
また、上記第１実施形態では、送信相手先となる通信装置を、ファクシミリ機能を有した通信装置を例に挙げて説明しているが、送信相手先となる通信装置としては、画像形成装置１とＬＡＮで繋がるＰＣや他の画像形成装置等であってもよい。この場合、上記データ通信は、画像形成装置１でスキャンした画像データ又は画像形成装置１に記憶されているデータをＰＣ上に送信することであってもよい。すなわち、本発明で行われるデータ通信は、ファクシミリ通信に限られず、他の形式のデータ通信を含む。
【００５３】
また、本発明は上記実施の形態の構成に限られず種々の変形が可能である。また、上記実施形態では、本発明に係る通信装置の一実施形態として複合機を用いて説明しているが、これは一例に過ぎず、例えば、データ通信機能を有した他の画像形成装置や電子機器でもよい。
【００５４】
また、上記実施形態では、図１乃至図６を用いて上記実施形態により示した構成及び処理は、本発明の一実施形態に過ぎず、本発明を当該構成及び処理に限定する趣旨ではない。
【符号の説明】
【００５５】
１        画像形成装置
７１      ファクシミリ通信部
９１      ネットワークインターフェイス部
１０２    送信相手先受付部
１０３    選択受付部
１０４    表示制御部
１０５    ファクシミリ通信制御部
１０６    ネットワーク通信制御部
１０７    時差算出部
１０９    詳細情報記憶部
４７３    表示部
【図１】
2018117321.tif 000003
【図２】
2018117321.tif 000004
【図３】
2018117321.tif 000005
【図４】
2018117321.tif 000006
【図５】
2018117321.tif 000007
【図６】
2018117321.tif 000008